(57)【特許請求の範囲】
【請求項１】
筆記用ボードのスタンド構造であって
一対の支柱と、
前記一対の支柱の間に水平に渡されることで、前記一対の支柱を連結して固定する上ステーと、
前記一対の支柱の前記上ステーによって連結される位置より下側の位置に水平に渡されることで、前記上ステーより下側において前記一対の支柱を連結して固定する下ステーと、
の各々が、前記筆記用ボードの各辺に固定されることで、前記筆記用ボードの４辺を囲い、
前記一対の支柱の下端には、厚み１０ｍｍ以下の平板からなる脚先部材が前記支柱に垂直に固定されたことを特徴とする筆記用ボードのスタンド構造。
【請求項２】
前記脚先部材は、２本の長板部材の端部を結合させたＶ字部材であり、該２本の長板部材の結合部において前記支柱に垂直に、且つ、前記長板部材の前記結合部と反対側の端部が、前記筆記用ボードの幅方向中心側に向くように固定されることを特徴とする請求項１に記載の筆記用ボードのスタンド構造。
【請求項３】
前記一対の支柱、前記上ステー及び前記下ステーはアルミニウム材からなり、
前記脚先部材は鉄材からなることを特徴とする請求項１または２に記載の筆記用ボードのスタンド構造。
【発明の詳細な説明】
【技術分野】
【０００１】
本発明は、ホワイトボードや黒板、電子黒板などの筆記用ボードのスタンド構造に関する。
【背景技術】
【０００２】
従来より、ホワイトボードや黒板、電子黒板などの筆記用ボードを支持するスタンドには、図１４に示すようなものがある。図１４に示すスタンド５１では、筆記用ボード５２の左右両端が、一対の支柱パイプ５３に回動可能に取り付けられ、これらの支柱パイプ５３の下端には、筆記用ボード５２の前後方向に延びたベース５４が取り付けられ、各々のベース５４の両端にキャスター５５が回転自在に取り付けられている。
【０００３】
上記の筆記用ボードのスタンド５１においては、概略２本の支柱パイプ５３とベース５４とで筆記用ボード５２を回動可能に支持しており、スタンド５１は筆記用ボード５２の重量及び、回動の際の振動、衝撃に耐え、転倒しないようにする必要がある。よって、支柱パイプ５３やベース５４は充分に大きな断面積と重量を有している必要があった。また、筆記用ボード５２と重量の重いスタンド５１を運搬するためには、キャスター５５をベース５４の両端に配設する必要があるため、スタンド５１の特にベース５４の上面の高さが高くなっていた。
【０００４】
その結果、筆記用ボード５２の使用者や周囲を通行する人がベース５４に躓いてしまうなどの危険性が生じ、ベース５４が、筆記用ボード５２の安全な使用や、筆記用ボード５２の周囲の安全な通行の妨げになる場合があった。また、ベース５４の収納性が悪く、筆記用ボード５２の周囲の空間を有効に活用することが困難になる場合があった。
【先行技術文献】
【特許文献】
【０００５】
【特許文献１】特開平１０−５０７１号公報
【特許文献２】特開平１０−１８５０８３号公報
【特許文献３】特開平１０−１８５０８４号公報
【発明の概要】
【発明が解決しようとする課題】
【０００６】
本発明は、上記のような技術的課題に鑑みてなされたものであって、その目的とするところは、筆記用ボードを好適に支持するとともに、筆記用ボードのより安全な使用または筆記用ボードの周囲のより安全な通行を可能とし、さらに、筆記用ボードの周囲の空間の有効活用を可能とする技術を提供することである。
【課題を解決するための手段】
【０００７】
上記の課題を解決するための本発明は、筆記用ボードのスタンド構造であって、一対の支柱と、当該一対の支柱を水平に連結固定する二つの部材が、筆記用ボードの各辺に固定されることで、筆記用ボードの４辺を囲う構造を有する。そして、一対の支柱の下端には、厚み１０ｍｍ以下の平板からなる脚先部材が前記支柱に垂直に固定されたことを最大の特徴とする。
【０００８】
より詳しくは、筆記用ボードのスタンド構造であって
一対の支柱と、
前記一対の支柱の間に水平に渡されることで、前記一対の支柱を連結して固定する上ス
テーと、
前記一対の支柱の前記上ステーによって連結される位置より下側の位置に水平に渡されることで、前記上ステーより下側において前記一対の支柱を連結して固定する下ステーと、
の各々が、前記筆記用ボードの各辺に固定されることで、前記筆記用ボードの４辺を囲い、
前記一対の支柱の下端には、厚み１０ｍｍ以下の平板からなる脚先部材が前記支柱に垂直に固定されたことを特徴とする筆記用ボードのスタンド構造である。
【０００９】
本発明においては、一対の支柱と、一対の支柱の間に水平に渡されることで、一対の支柱を連結して固定する上ステーと、一対の支柱の前記上ステーによって連結される位置より下側の位置に水平に渡されることで、上ステーより下側において前対の支柱を連結して固定する下ステーとが、筆記用ボードの各辺に固定されることで、筆記用ボードの４辺を囲う。そして、一対の支柱の下端に垂直に固定された、厚み１０ｍｍ以下の平板からなる脚先部材によって、筆記用ボードを倒れないように、支持する。
【００１０】
この構造によれば、床上に配置された厚み１０ｍｍ以下の平板からなる脚先部材によって筆記用ボードを倒れないように支持するので、筆記用ボードを使用する人や筆記用ボードの周囲を歩行する人が脚先部材に躓くような不都合を抑制できる。また、脚先部材を例えば、他のオフィス家具の下に潜り込ませて筆記用ボードを支持することが可能となる。その結果、筆記用ボードをより安全に使用しまたは、より安全に筆記用ボードの周囲を通行することが可能となり、さらに、筆記用ボードの周囲の空間の有効活用が可能となる。
【００１１】
また、この構造によれば、筆記用ボードの強度をも利用して、構造体としての強度を確保することが容易となり、一対の支柱、上ステー、下ステーとしては、単体としての強度を抑えた材質、寸法を選択することができ、筆記用ボード全体の軽量化を図ることが可能になる。
【００１２】
また、本発明においては、前記脚先部材は、２本の長板部材の端部を結合させたＶ字部材であり、該２本の長板部材の結合部において前記支柱に垂直に、且つ、前記長板部材の前記結合部と反対側の端部が、前記筆記用ボードの幅方向中心側に向くように固定されてもよい。
【００１３】
これによれば、筆記用ボードの幅方向外側について、脚先部材を筆記用ボードの寸法内に収めることができ、筆記用ボードの設置場所の自由度をより高くすることができる。また、複数の筆記用ボードを、脚先部材が干渉しないように、組み合わせて使用することが可能となり、筆記用ボードの使用の自由度をより高くすることができる。
【００１４】
また、本発明においては、前記一対の支柱、前記上ステー及び前記下ステーはアルミニウム材からなり、前記脚先部材は鉄材からなるようにしてもよい。
【００１５】
これによれば、筆記用ボードの上側に位置する部材の重量を相対的に軽量化することができ、筆記用ボードの下側に位置する脚先部材の重量を相対的に重量化することができる。その結果、より、筆記用ボードが倒れづらいスタンド構造を実現することができる。
【００１６】
なお、上記した課題を解決するための手段は、可能な限り組み合わせて使用することが可能である。
【発明の効果】
【００１７】
本発明によれば、筆記用ボードを好適に支持できるとともに筆記用ボードのより安全な
使用または、筆記用ボードの周囲のより安全な通行が可能となり、さらに、筆記用ボードの周囲の空間を有効利用することが可能となる。
【図面の簡単な説明】
【００１８】
【図１】本発明の実施例１に係るホワイトボードを４方向から見た４面図である。
【図２】本発明の実施例１に係るホワイトボードの斜視図である。
【図３】本発明の実施例１に係るホワイトボードの断面図である。
【図４】本発明の実施例１に係るベースの斜視図である。
【図５】本発明の実施例１に係るホワイトボードを組み合わせて使用する例の斜視図である。
【図６】本発明の実施例１に係るホワイトボードの４面図において、特にベースを実線で、その他の部材を破線で示した図である。
【図７】本発明の実施例１に係るホワイトボードの斜視図において、特にベースを実線で、その他の部材を破線で示した図である。
【図８】本発明の実施例１に係る縦長型ホワイトボードを４方向から見た４面図である。
【図９】本発明の実施例１に係る縦長型ホワイトボードの斜視図である。
【図１０】本発明の実施例１に係る縦長型ホワイトボードの４面図において、特にベースを実線で、その他の部材を破線で示した図である。
【図１１】本発明の実施例１に係る縦長型ホワイトボードの斜視図において、特にベースを実線で、その他の部材を破線で示した図である。
【図１２】本発明の実施例２に係るホワイトボードの断面図である。
【図１３】本発明の実施例に係るベースの形状のバリエーションを示す図である。
【図１４】従来技術を示す図である。
【発明を実施するための形態】
【００１９】
以下に図面を参照して、この発明を実施するための形態を例示的に詳しく説明する。
【００２０】
＜実施例１＞
本発明の実施例１に係るスタンド構造を有するホワイトボード１０の概略構成を図１及び図２に基づいて説明する。図１は、本実施例におけるホワイトボード１０を４方向から見た図である。図１（ａ）は平面図、図１（ｂ）は正面図、図１（ｃ）は底面図、図１（ｄ）は右側面図を示す。背面図は正面図と同じ図となり、左側面図は右側面図と同じ図となるので、ここでは背面図と右側面図を省略している。また、図２は、ホワイトボード１０の斜視図である。なお、以下の説明においては、図１（ｂ）の正面図における紙面に垂直な方向をホワイトボード１０の前後方向、図１（ｂ）の正面図における上下方向をホワイトボード１０の上下方向、図１（ｂ）の正面図における左右方向をホワイトボード１０の左右方向として説明する。
【００２１】
図１及び図２に示すように本実施例におけるホワイトボート１０は、ボード２をスタンド１によって直立姿勢で支持することが可能となっている。このスタンド１は、ボード２の左右両端に取り付けられた一対の支柱３と、各々の支柱３の下端に結合されたベース４、一対の支柱３をボード２の上側で連結する上ステー５、一対の支柱３をボード２の下側で連結する下ステー６で構成されている。本実施例におけるスタンド１は、ボード２の左右端面を２本の支柱パイプ３で固定し、ボード２の上下端面を上ステー５と下ステー６とによって固定することでボード２をスタンド１に対して回動不能に支持している。
【００２２】
また、本実施例におけるベース４は、平面視で長板部４ａ及び４ｂが端部において互いに略直角に結合されたＶ字部材によって構成されている。そして、ベース４は、長板部４ａ、４ｂが結合する部分である結合部４ｃにおいて、支柱３と結合及び固定されている。
さらに、ベース４は、長板部４ａ及び４ｂが、前後方向について、ボード２に対して対称に配置されるように、また、長板部４ａ、４ｂにおける結合部４ｃと逆側の端部が、支柱３に対してボード２の左右方向中心側を向くように支柱３に固定されている。
【００２３】
図３には、本実施例のホワイトボード１０の断面Ａ−Ａにおける断面図を示す。図３において、ボード２は、紙材からなるペーパーコア２ａの両面にスチール版に白色塗装を施したスチールホワイト２ｂを貼付することで形成されている。また、上ステー５及び、下ステー６は断面が概略Ｈ型のアルミニウム材で形成されている。そして、例えば、上ステー５は、水平板部５ａ、前板部５ｂ及び、後板部５ｃによって、ボード２の上端部を三方から覆うように取り付けられ接着されている。また、同様に、下ステー６は、水平板部６ａ、前板部６ｂ及び後板部６ｃによって、ボード２の下端部を三方から覆うように取り付けられ接着されている。なお、上ステー５については、前板部５ｂ及び、後板部５ｃの上端の間の隙間に樹脂製の上ステーキャップ９をはめ込むことで、外観上の意匠性を高めている。
【００２４】
図３には図示しないが、２本の支柱３も、上ステー５と同一の断面を有するアルミニウム材で形成されている。そして、基本的には上ステー５と同様の態様で、ボード２の左右端部を三方から覆うようにボード２に取り付けられ接着されている。また、図３に示すように、下ステー６と支柱３とは、樹脂製または金属製のＬ字状の連結部材６ｅの各辺をタッピングネジ６ｄによって、下ステー６と支柱３の各々に固定することで、強固に連結されている。上ステー５と支柱３についても同様の方法で強固に連結されている。
【００２５】
また、図３に示すように、ボード２のスチールホワイト２ｂにはマグネットシート７がその磁力により固定されており、マグネットシート７におけるボード２に接していない側の面には、マーカーやイレーサーを載置するとともに、イレーサーで拭き取ったマーカーの粉を受ける鉄製の粉受け皿８が、やはり磁力によって固定されている。
【００２６】
図４には、ベース４の斜視図を示す。ベース４は鉄材（例えばＳＰＣＣ）により形成されている。ベース４における結合部４ｃには、コの字部材４ｄが溶接により固着されている。また、コの字部材４ｄには、カシメ用孔４ｅが二箇所設けられている。ベース４が支柱３に固定される際には、支柱３の概略Ｈ型のアルミニウム材が、コの字部材４ｄを三方から覆うように取り付けられ、図３にも示すように、カシメ用孔４ｅを介してカシメナット４ｆによって固定される。
【００２７】
本実施例において、ボード２の寸法は、上下方向、左右方向ともに１１６０ｍｍであり、厚みは２２ｍｍである。また、２本の支柱３を含めたホワイトボード１０全体の左右方向寸法は１２００ｍｍであり、上ステー５、２本の支柱３及びベース４を含めた上下方向寸法は、１６００ｍｍである。また、上ステー５、下ステー６及び２本の支柱３を含んだ前後方向厚みは３０ｍｍである。そして、ホワイトボード１０全体としての重量は約１０ｋｇとなっている。
【００２８】
また、ベース４の左右方向寸法Ｗは約２５０ｍｍ、前後方向寸法Ｄは約４４０ｍｍに設定されている。また、Ｖ字部材の厚みは約６ｍｍにされている。また、Ｖ字部材の長板部４ａと４ｂにおける結合部４ｃとは逆の端部の裏側には、厚み２ｍｍのクッションシート４ｇがそれぞれ設けられており、ベース４全体の上下方向寸法Ｈは、クッション材を含んで約８ｍｍに設定されている。また、ベース４の重量は１個あたり約５７０ｇとなっている。
【００２９】
上記のように、本実施例においては、ホワイトボード１０のスタンド１の構成として、２本の支柱３の下に，厚み約６ｍｍのＶ字部材とクッションシート４ｇからなるベース４
を固定する構成とした。これにより、ホワイトボード１０の使用者やホワイトボード１０の周囲を歩行する人がベース４に躓くなどの不都合を抑制でき、より安全にホワイトボード１０を使用しまたは、より安全にホワイトボード１０の周囲を通行することが可能となる。さらに、ベース４の一部を他のオフィス家具の下に潜り込ませてホワイトボード１０を設置することが可能となり、ホワイトボード１０の周囲の空間をより有効に活用することが可能となる。
【００３０】
また、その際、本実施例においては、ボード２の周囲（端部の側面）を、２本の支柱３と、上ステー５と、下ステー６とで囲うように固定し、さらに、２本の支柱３の下に、Ｖ字部材からなるベース４を固定する構成とした。これにより、２本の支柱３と、上ステー５と、下ステー６とを軽量の部材で構成したとしても、ボード２自体の強度も利用して、ホワイトボード１０全体の強度を高めることができる。
【００３１】
さらに、本実施例においては、２本の支柱３、上ステー５及び下ステー６をアルミニウム材で形成し、軽量化を図るとともにベース４は鉄材で形成することとした。これにより、ホワイトボード１０を最も下側で支持する部材の重量を重く、上側の部材の重量を軽くすることができるので、ホワイトボード１０をより、倒れづらい構造とすることができる。本実施例の構造により、一般にオフィス家具などで、倒れ難さの基準として定められている、傾き角１３度を上回る、傾き角１５度でも倒れないという構造を実現することができている。
【００３２】
また、同等の機能を有する従来のホワイトボード用のスタンド構造では、左右方向寸法が１２００ｍｍのもので重量が約１７ｋｇ程度あることが多い。このことを考慮すると、本実施例におけるスタンド構造を採用することで、ホワイトボード全体の重量を大幅に低減することができたと言える。また、このように重量を抑えたために、人がホワイトボード１０を持ち上げて運搬することが可能となった。このことにより、ベース３にキャスターを設ける必要がなくなり、結果として、ベース４の合計厚みをより薄くすることができ、１０ｍｍ以下にすることができた。ベース４の合計厚みが１０ｍｍ以下であれば、人がベース４によって躓くことはまず無く、より安全にホワイトボード１０を使用することが可能となり、より安全にホワイトボード１０の周囲を通行することが可能となった。
【００３３】
さらに、本実施例においては、ベース４を、長板部４ａ、４ｂの結合部４ｃがボード２の左右方向外側を向き、長板部４ａ、４ｂの結合部４ｃとは逆側の端部がボード２の左右方向中心側を向くように、支柱３に固定する構成を採用した。これにより、少なくともホワイトボード１０の左右方向外側における通行が妨げられることがなくなり、ホワイトボード１０の周囲を人や物がさらに安全に通行することが可能となる。また、ホワイトボード１０を設置する際には、支柱３ぎりぎりまで、壁や他のオフィス家具に寄せることが可能となり、この意味でもホワイトボード１０の周囲の空間の有効活用が可能となる。
【００３４】
さらに、本実施例においては、ベース４は、Ｖ字部材により形成されており、２つの長板部４ａ、４ｂのなす角度を９０度として、ホワイトボード１０の前後方向に対して対称に配置することとしているので、図５に示すように、２つのホワイトボード１０を組み合わせて使用したときに、ベース４どうしが干渉せずに、２つのホワイトボード１０を直角に並べて配置させることが可能となる。これにより、ホワイトボード１０をオフィスの仕切りに用いることも可能となり、より自由度の高いオフィスの利用が可能となっている。
【００３５】
なお、上記の実施例においては、ボード２は、ペーパーコア２ａを有しているが、このペーパーコア２ａは、ダンボールを重ねた構造となっている。すなわち、上下左右方向の断面が波状に開口するように紙材で構成されることで、強度を維持しつつ軽量化が図られている。しかしながら、本発明におけるペーパーコア２ａの構造は必ずしもこれに限られ
ない。例えば、前後方向に開口するハニカム構造を採用しても構わない。あるいは、前後方向に他の形状に開口するように構成しても構わない。すなわち、開口方向は上下左右方向であっても前後方向であってもよく、開口形状も特に限定はされない。また、中実のコアを採用しても構わない。さらに、ボード２のコア２ａを紙材で形成する必要はなく、発砲スチロールなどの樹脂材や他の材質で形成しても構わない。
【００３６】
なお、図６及び図７には、本実施例におけるベース４だけを特に実線で描画し、他の部分を破線で描画した図を示しておく。
【００３７】
また、上記の実施例におけるホワイトボード１０の寸法及び重量は一例であり、本発明の趣旨を逸脱しない範囲で変更可能であることは言うまでもない。例えば、ホワイトボード１０を、ボード２の左右方向寸法を８６０ｍｍ、２本の支柱３を含めたホワイトボード１０全体の左右方向寸法を９００ｍｍとした、縦長型としても構わない。この場合には、ホワイトボード１０としての重量は約８ｋｇとなる。この場合も、従来の構成を採用した場合の１２〜１３ｋｇと比較して大幅な重量低減を行うことが可能である。そして、この場合でも、上記実施例と同等の効果を奏することが可能である。
【００３８】
なお、図８及び図９には、ボード２の左右方向寸法を８６０ｍｍ、２本の支柱３を含めたホワイトボード１０全体の左右方向寸法を９００ｍｍとした場合のホワイトボード１０の四面図及び斜視図を示す。また、図１０及び図１１には、縦長型のホワイトボード１０とした場合について、ベース４だけを特に実線で描画し、他の部分を破線で描画した図を示しておく。
【００３９】
＜実施例２＞
次に、本発明の実施例２について説明する。本実施例と実施例１の主な相違点は、２本の支柱１３及び、上ステー１５、下ステー１６が、断面がＨ型のアルミニウム材ではなく、Ｈ型の断面の両端に存在する開口の一方を閉じた、所謂Ａ型の断面を有するアルミニウム材から形成されるようにした点である。
【００４０】
図１２には、本実施例におけるホワイトボード２０の部分断面図を示す。特に図１２（ａ）には、本実施例において、図３に示したＡ−Ａ断面図に対応する断面図を示す。また、図１２（ｂ）には、図１２（ａ）の断面Ｂ−Ｂにおける、本実施例の支柱１３とベース１４の結合部分の水平断面を示す。実施例１におけるホワイトボード１０の上ステー５の断面は、概略Ｈ型であり、水平板部５ａ、前板部５ｂ及び、後板部５ｃによって、ボード２の上端部を三方から覆うように取り付けられ接着されていた。
【００４１】
これに対し、本実施例の上ステー１５の断面は、概略Ａ型であり、前板部１５ｂ及び、後板部１５ｃの上端は第２水平板部１５ｄにより連結されている。また、前板部１５ｂ及び、後板部１５ｃの上下方向中央部は、実施例１と同じく水平板部１５ａによって連結されている。また、本実施例の下ステー１６の断面も、概略Ａ型であり、前板部１６ｂ及び、後板部１６ｃの下端は第２水平板部１６ｄにより連結されている。また、前板部１６ｂ及び、後板部１６ｃの上下方向中央部は、実施例１と同じく水平板部１６ａによって連結されている。
【００４２】
本実施例においても、上ステー１５は、水平板部１５ａ、前板部１５ｂ及び、後板部１５ｃによって、ボード２の上端部を三方から覆うように、ボード２に取り付けられ接着されている。また、同様に、下ステー１６は、水平板部１６ａ、前板部１６ｂ及び後板部１６ｃによって、ボード２の下端部を三方から覆うように、ボード２に取り付けられ接着されている。
【００４３】
また、図１２（ａ）には図示されていないが、２本の支柱１３も、上ステー１５と同一の断面を有する概略Ａ型のアルミニウム材により形成されている。そして、基本的には上ステー１５と同様の態様で、ボード２の左右端部を三方から覆うようにボード２に取り付けられ接着されている。また、図１２（ａ）にも示されるように、上ステー１５と支柱１３とは、樹脂製または金属製のＬ字状の連結部材１５ｅの各辺をタッピングネジ（不図示）によって、上ステー１５と支柱１３の各々に固定することで、強固に連結されている。
【００４４】
また、図１２（ｂ）に示すように、本実施例の支柱１３の断面において、前板部１３ｂ及び、後板部１３ｃの右端は第２垂直板部１３ｄにより連結されている。また、前板部１３ｂ及び、後板部１３ｃの左右方向中央部は、垂直板部１３ａによって連結されている。そして、本実施例では、支柱１３の捩れを抑制し、強度を増すために、前板部１３ｂ、後板部１３ｃ、垂直板部１３ａ及び第２垂直板部１３ｄで囲まれた空間に、断面長方形の筒状の補強金具１３ｅが挿入されている。
【００４５】
下ステー１６と支柱１３とは、断面長方形の筒状で且つＬ字状に屈曲するように形成された連結金具１６ｅの各辺を下ステー１６にはネジ１６ｆによって、支柱１３には図示しないネジによって固定することで、強固に連結されている。下ステー１６について、より詳細には、連結金具１６ｅの水平辺の内部にさらに中実の締結部材１６ｇが挿入されており、ネジ１６ｆによって、下ステー１６の水平板部１６ａと締結部材１６ｇとを、連結金具１６ｅの上面を挟むようにねじ止めされている。このことで、下ステー１６と連結金具１６ｅとが固定されている。
【００４６】
また、本実施例におけるベース１４には、ベース１４を支柱１３と結合させるための角柱状の角柱部材１４ｄが溶接により固着されている。この角柱部材１４ｄは、図１２（ｂ）に示すように、連結金具１６ｅの垂直辺に挿入されている。また、角柱部材１４ｄには、２箇所のネジ穴が設けられており、この２箇所のネジ穴にイモネジ１４ｇがねじ込まれることで、角柱部材１４ｄが連結金具１６ｅの垂直辺の内壁に圧接される。このことにより、ベース１４が連結金具１６ｅ及び支柱１３に強固に固定されている。なお、イモネジ１４ｇをネジ込むために連結金具１６ｅの垂直辺には横穴１６ｈが形成されているが、この横穴１６ｈは、ベース１４の固定後、蓋１６ｊを取り付けることで、隠されるようになっている。ここで、実施例１におけるベース４と、本実施例におけるベース１４との相違点は、ベース４がコの字部材４ｄを備えていたのに対し、ベース１４は角柱部材１４ｄを備えている点であり、それ以外の点、例えばＶ字部材の形状などはベース４とベース１４とは同一である。
【００４７】
以上、説明したように、本実施例においては、２本の支柱１３及び、上ステー１５、下ステー１６として、断面がＨ型のアルミニウム材ではなく、Ｈ型の断面の一方の開口を閉じた、所謂Ａ型の断面を有するアルミニウム材を用いた。これによれば、各々の部材の強度を向上させることができ、ホワイトボード２０全体としての強度を向上させることが可能である。また、断面Ｈ型のアルミニウム材を用いた場合には、第２水平板部や第２垂直板部に相当する箇所に、上ステーキャップ９などの大型の別部材を設置する必要があったのに対し、本実施例によれば、そのような大型の別部材を設置しなくても、高い意匠性を確保することができる。
【００４８】
さらに、本実施例では、Ａ型の断面を有するアルミニウム材からなる支柱１３、１３において、前板部１３ｂ、後板部１３ｃ、垂直板部１３ａ及び第２垂直板部１３ｄで囲まれた空間に、断面長方形の筒状の補強金具１３ｅが挿入されている。従って、支柱１３の強度を向上させることができ、軽量化しつつ、ホワイトボード２０全体の強度を向上させることができる。
【００４９】
なお、上記の実施例で説明した、ボードと、上ステー、下ステー、支柱及びベースの組み立て構造は、単なる一例であり、別の構造によって、ボードと、上ステー、下ステー、支柱及びベースを組み立て、固定しても良いことは当然である。
【００５０】
また、上記の実施例においては、ベースが、Ｖ字部材から形成される例について説明したが、より安全にホワイトボードが使用可能で、より安全にホワイトボードの周囲を通行可能になり、ホワイトボードの周囲の空間を有効活用することが可能となるという趣旨から逸脱しない限り、本発明におけるベースの形状はＶ字状に限られない。例えば、図１３に示すような他の形状のベースを用いても構わない。すなわち、図１３（ａ）に示すような、直線状部材からなるベース２４、図１３（ｂ）に示すような、円形部材からなるベース３４、図１３（ｃ）に示すような、扇形部材からなるベース４４を採用しても構わない。また、さらに別の形状を用いても構わない。
【００５１】
また、上記の実施例においては、Ｖ字部材からなるベース４の長板部４ａ、４ｂの結合角度が９０度である例を用いて説明を行ったが、この結合角度は９０度には限られない。例えば、６０度〜１２０度の範囲で、ホワイトボード１０の各部の寸法、重量、または、ホワイトボード１０どうしを組み合わせて使用する際の組合せ角度などに応じて、適宜決定すればよい。
【００５２】
また、上記の実施例においては、筆記用ボードがホワイトボードである場合を例にとって説明を行ったが、本発明は、黒板、電子黒板、筆記可能なタッチパネル式のディスプレイ装置などにも適用が可能である。
【符号の説明】
【００５３】
１・・・スタンド
２・・・ボード
３、１３・・・支柱
４、１４・・・ベース
５、１５・・・上ステー
６、１６・・・下ステー
７、１７・・・マグネットシート
８、１８・・・粉受け皿
【図１】
0005965436.tif 000002
【図２】
0005965436.tif 000003
【図３】
0005965436.tif 000004
【図４】
0005965436.tif 000005
【図５】
0005965436.tif 000006
【図６】
0005965436.tif 000007
【図７】
0005965436.tif 000008
【図８】
0005965436.tif 000009
【図９】
0005965436.tif 000010
【図１０】
0005965436.tif 000011
【図１１】
0005965436.tif 000012
【図１２】
0005965436.tif 000013
【図１３】
0005965436.tif 000014
【図１４】
0005965436.tif 000015